(57)【特許請求の範囲】
【請求項１】
前面枠の前面側に設けられた打球供給皿のパチンコ球を前面枠の裏面側に導いて垂直下方に誘導する球通路と、上下方向へ回動自在に軸支され、下方に回動した状態のとき球通路の先頭に位置するパチンコ球を球支持部の上面で受けて待機させると共に、上方に回動することにより球支持部の上面のパチンコ球を球受凹部に受け入れ、かつ下方への回動によって球受凹部に受け入れたパチンコ球を発射レールの発射位置に供給する球送り部材とからなる打球供給装置を備えたパチンコ機であって、
前記球送り部材の上方に位置する球通路に、球抜口と、常には球抜口を閉鎖し、球抜き操作によって球抜口を開放する位置に移動可能な球抜部材を設けると共に、球抜口に球抜通路を連設し、
前記球送り部材の球支持部上面は、該球支持部上面で待機する球通路の先頭のパチンコ球が球抜口に転動し得るように傾斜面として形成し、
前記球抜部材には、球抜き操作によって球通路に突入し、後続する球通路のパチンコ球を上面で受けて球抜口から球抜通路に誘導する保護通路板を一体に設けてなることを特徴とするパチンコ機における打球供給皿の球抜き装置。
【発明の詳細な説明】
【０００１】
【発明の属する技術分野】
本発明は、パチンコ機の前面枠の前面側に設けられた打球供給皿のパチンコ球を打球杆の発射動作に同期させて１個ずつ発射レールの発射位置に供給する打球供給装置を備えたパチンコ機に関し、特に打球供給皿のパチンコ球を球抜きする際に打球供給装置内にパチンコ球が残らないようにすることができるようなパチンコ機における打球供給皿の球抜き装置に関するものである。
【０００２】
【従来の技術】
従来のパチンコ機においては、前面枠の前面側に打球供給皿と下部球皿とを設け、打球供給皿のパチンコ球を前面枠の裏面側に設けられた打球供給装置に導くと共に、打球杆の発射動作に同期させて１個ずつ発射レールの発射位置に供給するようにされている。一方、打球供給皿の底部には球抜孔が設けられると共に、該球抜孔にスライド板が配設されており、該スライド板を移動させて球抜孔を開放することにより打球供給皿のパチンコ球を下部球皿に抜き取るようにしていた。
【０００３】
上記した従来のパチンコ機にあっては、打球供給皿のパチンコ球を該打球供給皿の底部の球抜孔から直接に下部球皿へ抜き取るようにしているため、打球供給装置に導かれたパチンコ球は抜き取られないでそのまゝ残されてしまうという問題点があった。
【０００４】
そして、打球供給装置内に残されたパチンコ球を抜き取るためには、例えばその残されたパチンコ球を弱い弾発力で発射してファール球口から下部球皿に戻して回収する等遊技者に面倒な操作を行わせる必要があった。
【０００５】
一方、例えば実公平６−３６４８号公報記載のように発射球供給機構（打球供給装置）に球抜部材を設け、球抜き操作によって球抜部材を球抜位置へ変位させることにより打球供給皿のパチンコ球をすべて球抜きすることができるようにしたパチンコ機が知られている。
【０００６】
【発明が解決しようとする課題】
しかし、この従来のパチンコ機においては、球抜き操作によって球抜部材を発射球供給機構の受け部材から離れる方向に移動させると共に、打球供給皿のパチンコ球を受け部材上に落下させながら球抜きを行うものであるから、受け部材がパチンコ球の落下に伴なう強い衝撃を受け続けて損傷し、発射球供給機構を短期間で交換しなければならないという問題点を有していた。
【０００７】
本発明は、上記した問題点に鑑みなされたもので、その目的とするところは、打球供給皿のパチンコ球を抜き取る際に打球供給装置内に残されたパチンコ球も残らず下部球皿に抜き取ることができるようにすると共に、打球供給装置が損傷しないように保護することができるようなパチンコ機における打球供給皿の球抜装置を提供することにある。
【０００８】
【課題を解決するための手段】
上記した目的を達成するために、本発明は、前面枠の前面側に設けられた打球供給皿のパチンコ球を前面枠の裏面側に導いて垂直下方に誘導する球通路と、上下方向へ回動自在に軸支され、下方に回動した状態のとき球通路の先頭に位置するパチンコ球を球支持部の上面で受けて待機させると共に、上方に回動することにより球支持部の上面のパチンコ球を球受凹部に受け入れ、かつ下方への回動によって球受凹部に受け入れたパチンコ球を発射レールの発射位置に供給する球送り部材とからなる打球供給装置を備えたパチンコ機であって、前記球送り部材の上方に位置する球通路に、球抜口と、常には球抜口を閉鎖し、球抜き操作によって球抜口を開放する位置に移動可能な球抜部材を設けると共に、球抜口に球抜通路を連設し、前記球送り部材の球支持部上面は、該球支持部上面で待機する球通路の先頭のパチンコ球が球抜口に転動し得るように傾斜面として形成し、前記球抜部材には、球抜き操作によって球通路に突入し、後続する球通路のパチンコ球を上面で受けて球抜口から球抜通路に誘導する保護通路板を一体に設けるようにしたものである。
【０００９】
前記球抜部材の保護通路板は、これの上面を球抜通路に向けて下り傾斜する傾斜面として形成するのが好ましい。
【００１０】
上記のように構成されたパチンコ機における打球供給皿の球抜装置は、球抜き操作によって球抜部材を球抜口を開放する位置に移動させると、球送り部材の球支持部上面で受けられて待機する球通路の先頭のパチンコ球がその傾斜面によって球抜口から球抜通路に落下すると同時に保護通路板が球通路に突入して球送り部材の上方に位置し、これによって保護通路板が球抜通路に連通する通路部の一部を構成することになって球送り部材の球支持部にパチンコ球が落下しないようにカバーする。このため、後続する球通路のパチンコ球は保護通路板上に落下して球抜口から球抜通路へ導かれるもので、これによって打球供給皿及び打球供給装置の球通路のパチンコ球を残らず抜き取ることができると共に、打球供給装置の球送り部材上にパチンコ球を落下させないようにすることができるので球送り部材が損傷するのを防止することができる。
【００１１】
【発明の実施の形態】
次に、本発明の一実施の形態を図面に従い説明する。図１は本発明に係るパチンコ機の正面図、図２はガラス枠及び前面板を開放した状態のパチンコ機の下部部分の斜視図である。図において、１はパチンコ機の前面枠、２は前面枠１の後面に着脱自在に装着される遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス枠７と一緒に前面枠１の一側に開閉自在に装着されている。前記前面板６の表面には打球供給皿８が設けられている。また、前面枠１の下部前面には打球供給皿８の余剰球を貯留する下部球皿９と打球発射用の操作ハンドル１０が設けられている。
【００１２】
前記打球供給皿８は、図３に示すように本体部１１と該本体部１１の前面外側を覆うカバー部材１２とから構成されている。本体部１１はパチンコ球を貯留する皿部１３と該皿部１３の上縁部分を囲う飾板部１４及び皿部１３の下方に延出する側板部１５とを有する。前記皿部１３は底部が一方に緩やかに下り傾斜してその傾斜下部にパチンコ球が一列に整列される整流部１６が形成されており、該整流部１６の下流端が位置する前面板６には皿部１３のパチンコ球を前面板６の裏側に流出させる球出口１７が開設されている。
【００１３】
一方、前面板６の裏面には打球供給装置１８が設けられている。この打球供給装置１８は、打球供給皿８に貯留されるパチンコ球を前面板６の球出口１７から１個ずつ発射レール３の発射位置５に供給するためのもので、通路構成部材１９と球送り部材２０とにより構成されている。
【００１４】
前記通路構成部材１９は、図４に示すように前面板６の球出口１７に合致する流入口２１が設けられた板状体１９ａと前面が開口して前記流入口２１と連通する球通路２２が形成された中空状の箱状体１９ｂとに二分割して形成されており、該球通路２２の終端に球送り部材２０を収容するための円形部２２ａが形成されている。前記球通路２２は球出口１７から前面板６の裏面側に導かれる打球供給皿８のパチンコ球を下方に誘導するように垂直状に形成されると共に、円形部２２ａの前面に発射レール３の発射位置５に対応する供給口２３が形成されている。
【００１５】
前記球送り部材２０は、全体をほぼ円形形状とし、かつパチンコ球の直径とほぼ等しい厚さの立体形として形成され、その前後両側面に突設された発射レール３と直交状の回動支軸２４，２４を板状体１９ａと箱状体１９ｂに形成された軸受凹部２５，２５に嵌めて発射レール３と平行な平面内で上下方向へ回動自在に軸支され、かつ自然状態では図５実線のように下方（反時計廻り方向）に回動するように重心が置かれている。
【００１６】
また、前記球送り部材２０は、図５実線で示す下方（反時計廻り方向）に回動した状態のとき流入口２１から球通路２２に導かれた先頭のパチンコ球Ｂを上面で受けて支持する球支持部２６と、図５鎖線のように上方（時計廻り方向）に回動することにより球支持部２６から落下するパチンコ球Ｂを受け入れて保持し、かつ下方へ回動することによりそのパチンコ球Ｂを供給口２３から発射レール３の発射位置５に送り出す半円状の球受凹部２７と、箱状体１９ｂの円形部２２ａから外方へ突出する係合腕２８とが一体に設けられている。なお、前記球支持部２６上面は、回動支軸２４，２４を中心とする円弧面として形成されており、球受凹部２７の底部はパチンコ球が供給口２３から発射レール３の発射位置５に自然に転動するように傾斜状に形成されている。
【００１７】
前記係合腕２８は、図５に示すように発射レール３の下方でありかつ遊技盤２の前面側に軸２９で回動自在に軸支された連動レバー３０の押圧部３１に当接可能なようになっている。また、連動レバー３０は軸２９より下方に垂下するレバー部３２を一体に備え、該レバー部３２が打球杆４に固着された引掛杆３３と係合可能なように位置されている。
【００１８】
しかして、本発明では、図５に示すように前記球通路２２の側面であり、かつ球送り部材２０の球支持部２６上面から上方の流入口２１部分に亘って球抜口３４を開設すると共に、該球抜口３４を開閉する球抜部材３５を設けている。また、球送り部材２０の球支持部２６上面は、該球支持部２６の上面で待機する球通路２２の先頭のパチンコ球が球抜口３４に転動し得るように球抜口３４に向けて下り傾斜する傾斜面として形成されている。さらに、前面板６の裏面には球抜口３４から抜き取られるパチンコ球を遊技盤２の下方のファール球回収シュート３６を介して下部球皿９に導く球抜通路３７を設けている。
【００１９】
前記球抜部材３５は、図３に示すように球抜口３４を開閉する垂直状の側片部３８と、球抜き操作によって球通路２２に突入し、かつ球送り部材２０の球支持部２６上方に位置する水平状の保護通路板３９とが一体に形成されており、これの角形基部４０を打球供給皿８の側板部１５に形成された箱枠状のガイド部４１に臨ませて左右方向へ往復移動自在に支持される。
【００２０】
なお、前面板６には球抜部材３５の支持板部４２を臨ませて摺動案内する横長のガイド孔４３が設けられる。また、通路構成部材１９の板状体１９ａには図４に示すように球抜部材３５の側片部３８が移動し得る切欠部４４とガイド孔４３に一致するガイド長孔４５とが流入口２１と連通状に設けられる。さらに、通路構成部材１９の箱状体１９ｂには球抜部材３５の保護通路板３９を臨ませるための中空のガイド溝４６を球通路２２と連通状に設けている。
【００２１】
一方、打球供給皿８の側板部１５の前面側には、図７及び図８に示すように球抜部材３５を球抜き操作するための逆Ｌ字形をなすレバー部材４７と操作部材４８とが設けられている。レバー部材４７は軸４９により揺動自在に軸支されており、該軸４９より下方に形成された長孔５０に球抜部材３５の前面側に突設した突起５１を臨ませている。また、レバー部材４７には復帰用のコイルばね５２が連結されており、該コイルばね５２によって常に球抜部材３５を図９（イ）及び図１０（イ）に示すようにこれの側片部３８で球抜口３４を閉じる位置に付勢している。
【００２２】
前記操作部材４８は、軸５３によって上下方向へ回動自在に軸支されると共に、レバー部材４７に接触状に位置して飾板部１４の透孔５４から上方に突出されており、該操作部材４８を押圧してレバー部材４７を図８鎖線のように回動させることによって球抜部材３５の側片部３８を球抜口３４を開放する位置に移動させることができるようになっている。
【００２３】
前記球抜部材３５の保護通路板３９の上面は、球抜通路３７に向けて下り傾斜する傾斜面として形成されている。また、球抜板部３５の側片部３８と該側片部３８に対向する保護通路板３９の内側端との間の間隔はパチンコ球１個ぶんより若干大きく形成されている。さらに保護通路板３９は、図１０（イ）に示すように球抜部材３５が球抜口３４を閉じる位置に付勢されているときには球通路２２から後退して球送り部材２０の球支持部２６上で待機する球通路２２の先頭のパチンコ球Ｂの側方に位置しており、図１０（ロ）に示すように球抜部材３５が球抜口３４を開放する位置に移動すると球通路２２に突入すると共に、球送り部材２０の上方に位置して球抜通路３７に連通する通路部の一部を構成し、後続する球通路２２のパチンコ球が球送り部材２０上に落下するのを阻止するようになっている。
【００２４】
本発明は、上記のような構成からなるもので、次にその作用を説明する。打球供給皿８に貯留されるパチンコ球は整流部１６によって一列に整列されながら前面板６の球出口１７から流入口２１を経て打球供給装置１８の球通路２２に連続して流入し、図５実線及び図６（イ）に示すようにその先頭のパチンコ球Ｂが球送り部材２０の球支持部２６上面で支持されて待機する。
【００２５】
この状態で打球杆４が図５鎖線のように発射準備位置に回動されると引掛杆３３によって連動レバー３０のレバー部３２が引寄せられて該連動レバー３０が軸２９を支点として上方（時計廻り方向）へ回動し、これの押上部３１が球送り部材２０の係合腕２８を上方へ押上げる。このため、球送り部材２０が回動支軸２４，２４を支点として図６（ロ）実線のように上方へ回動し、球送り部材２０の球支持部２６上面で支持されていたパチンコ球Ｂは球受凹部２７に落下して保持される。
【００２６】
そして、打球杆４が図５実線で示す発射動作位置に回動すると、球送り部材２０は連動レバー３０の押上部３１による押し上げが解除されて自重とパチンコ球Ｂの重量で図６（ロ）鎖線のように下方に回動し、球受凹部２７のパチンコ球Ｂは該球受凹部２７の底部の傾斜によって供給口２３から発射レール３の発射位置５に転動する。同時に後続する球通路２２のパチンコ球Ｂ１を球送り部材２０の球支持部２６上面で受け止めて待機させるもので、その後は打球杆４の往復回動ごとに球通路２２のパチンコ球が１個ずつ発射レール３の発射位置５に供給されることになる。
【００２７】
しかして、打球供給皿８のパチンコ球を下部球皿９に抜き取るには、操作部材４８を図８鎖線のように押圧してレバー部材４７をコイルばね５２の復帰勢力に抗して回動させる。これによって、球抜部材３５がレバー部材４７の長孔５０に係合する突起５１を介して同図矢印方向に移動し図９（ロ）及び図１０（ロ）に示すように側片部３８を移動させて球抜口３４を開放すると同時に保護通路板３９を球通路２２に突入させる。これによって、球送り部材２０の球支持部２６上面で受けられて待機している先頭のパチンコ球Ｂがその傾斜面によって球抜口３４から球抜通路３７へ流出し、次いで後続する球通路２２のパチンコ球Ｂ１及び打球供給皿８のパチンコ球も球通路２２を通って保護通路板３１上に落下し、その傾斜面に沿って球抜口３４から球抜通路３７へ連続して流出してすべて下部球皿９に抜き取られる。
【００２８】
そして、打球供給皿８のパチンコ球を下部球皿９に抜き取った後、操作部材４８の押圧を解除すると、コイルばね５２の復帰勢力によってレバー部材４７が図８実線で示す元の位置に復帰し、同時に球抜部材３５も図９（イ）及び図１０（イ）に示す位置に移動して球抜口３４を閉鎖すると同時に保護通路板３９を球通路２２から後退させて打球供給皿８のパチンコ球を球送り部材２０の球支持部２６上面に受け入れ可能とする。
【００２９】
【発明の効果】
以上、説明したところから明らかなように、本発明に係るパチンコ機における打球供給皿の球抜装置によれば、打球供給装置の球送り部材の上方に位置する球通路に球抜口を開設し、該球抜口を開閉する球抜部材に保護通路板を一体に設け、球抜き操作によって保護通路板を球送り部材の球支持部の上方に突入位置させて球抜通路に連通する通路部の一部を構成すると共に、球送り部材の球支持部にパチンコ球が落下しないようにカバーするようにしたものであるから、球抜きされるパチンコ球が球送り部材上に落下し、その衝撃によって球送り部材が損傷するのを確実に防止することができる。
【００３０】
また、球送り部材の球支持部上面で支持されて待機する球通路の先頭のパチンコ球をその傾斜面にそって球抜口から球抜通路に転動させるようにしたものであるから、打球供給装置内に残留するパチンコ球を残らず抜き取ることができ、従来のように打球供給装置に残されたパチンコ球を下部貯留皿に回収するための面倒な操作を不要とすることができて、遊技者のサービス向上を図れる利点がある。
【図面の簡単な説明】
【図１】本発明に係るパチンコ機の正面図である。
【図２】ガラス枠及び前面板を開放した状態を示すパチンコ機の下部部分の斜視図である。
【図３】打球供給皿部分の分解斜視図である。
【図４】打球供給装置の分解斜視図である。
【図５】打球供給装置の断面正面図である。
【図６】打球供給装置の作用を説明する断面側面図で、（イ）は球送り部材が下方に回動した状態を示し、（ロ）は球送り部材が上方に回動した状態を示すものである。
【図７】打球供給皿と下部球皿との関連構成を示す要部の断面側面図である。
【図８】球抜き操作部部分の作用を示す要部正面図である。
【図９】打球供給装置部分の要部を断面にして示す斜視図であって、（イ）は球抜口を閉じた状態を示し、（ロ）は球抜口を開放した状態を示すものである。
【図１０】球抜き作用を説明する打球供給装置部分の断面正面図で、（イ）は球抜口を閉じた状態を示し、（ロ）は球抜口を開放した状態を示すものである。
【符号の説明】
３        発射レール
４        打球杆
５        発射位置
８        打球供給皿
１８      打球供給装置
２０      球送り部材
２２      球通路
２６      球支持部
３４      球抜口
３５      球抜部材
３７      球抜通路
３９      保護通路板
【図１】
0003935229.tif 000002
【図２】
0003935229.tif 000003
【図３】
0003935229.tif 000004
【図４】
0003935229.tif 000005
【図５】
0003935229.tif 000006
【図６】
0003935229.tif 000007
【図７】
0003935229.tif 000008
【図８】
0003935229.tif 000009
【図９】
0003935229.tif 000010
【図１０】
0003935229.tif 000011